Podtech/llm-jp-corpus-v4-ja_patent huggingface dataset:
(57)【要約】      （修正有）【課題】トイレットペーパーを使用する時、ペーパーの長さを調節して節約できるトイレットペーパーホルダー補助具を提供する。【解決手段】長方形からなる台座部１と、台座部１の両長辺の一部分に沿って垂直に折り曲がるアーム部２と、トイレットペーパーホルダー５のアームを係止する為の穴部３を形成し、台座部１の短辺に沿って折り曲げる背面部４を形成する。【選択図】図４
0003216010.tif 000002
【実用新案登録請求の範囲】
【請求項１】
長方形からなる台座部と、前記台座部の両長辺の一部分に沿って垂直に折り曲がるアーム部と、トイレットペーパーホルダーのアームを係止する為の穴部を形成する事を特徴とするトイレットペーパーホルダー補助具。
【請求項２】
前記請求項１において、前記台座部の短辺に沿って折り曲げる背面部を形成する事を特徴とするトイレットペーパーホルダー補助具。
【請求項３】
前記、請求項１、請求項２、に係わるトイレットペーパー補助具は１枚のダンボール板により形成される事を特徴とするトイレットペーパーホルダー補助具。
【考案の詳細な説明】
【技術分野】
【０００１】トイレットペーパーを切断する時ペーパーの長さを調節に関する。
【考案の概要】
【考案が解決しようとする課題】
【０００２】トイレットペーパーを使用する時、どうしても長く引き出してしまい節約に繋がらない。
【課題を解決するための手段】
【０００３】長方形からなる台座部と、前記台座部の両長辺の一部分に沿って垂直に折り曲がるアーム部と、トイレットペーパーホルダーのアームを係止する為の穴部を形成する事を特徴とするトイレットペーパーホルダー補助具。【０００４】前記請求項１において、前記台座部の短辺に沿って折り曲げる背面部を形成する事を特徴とするトイレットペーパーホルダー補助具。【０００５】前記、請求項１において、台座部の短辺前方にギザギザの部分を設置しトイレットペーパーを切断出来る事を特徴とする、トイレットペーパーホルダー補助具。【０００６】前記、請求項１、請求項２、請求項３に係わるトイレットペーパー補助具は１枚のダンボール板により形成される事を特徴とする、トイレットペーパーホルダー補助具。
【考案の効果】
【０００７】トイレットペーパーを台座部で押さえられる事により、トイレットペーパーが短く切断しやすくなる。
【図面の簡単な説明】
【０００８】
【図１】トイレットペーパーホルダー補助具の組立前のシートの図である。
【図２】トイレットペーパーホルダー補助具の展開図である。
【図３】トイレットペーパーホルダー補助具の組立図である。
【図４】トイレットペーパーホルダー補助具の使用状態である。
【考案を実施するための形態】
【０００９】図１に示す組立前のシートの点線部分に沿って切り取り、トイレットペーパーホルダー補助具のアーム部２を折り曲げて垂直に立ち上げトイレットペーパーホルダー補助具の背面部４を壁に付けながら、トイレットペーパーホルダー補助具のアーム部２とアーム部２の間に、トイレットペーパーを挟みトイレットペーパーホルダーのアームに取り着ける。
【０００１０】台座部１の短辺前方にギザギザの部分を設置しトイレットペーパーを切断出来る事が出来る。
【符号の説明】
【０００１１】１．台座部
２．アーム部
３．穴部
４．背面部
５．トイレットペーパーホルダー
６．トイレットペーパー
７．トイレットペーパーホルダーのアーム
【図１】
0003216010.tif 000003
【図２】
0003216010.tif 000004
【図３】
0003216010.tif 000005
【図４】
0003216010.tif 000006
【手続補正書】
【提出日】平成30年2月9日(2018.2.9)
【手続補正１】
【補正対象書類名】実用新案登録請求の範囲
【補正対象項目名】全文
【補正方法】変更
【補正の内容】
【実用新案登録請求の範囲】
【請求項１】
長方形からなる台座部と、前記台座部の両長辺の一部分に沿って垂直に折り曲がるアーム部と、トイレットペーパーホルダーのアームを係止する為の穴部を形成する事を特徴とするトイレットペーパーホルダー補助具。
【請求項２】
前記台座部の短辺に沿って折り曲げる背面部を形成する事を特徴とす請項１に記載のトイレットペーパーホルダー補助具。
【請求項３】
１枚のダンボール板により形成される事を特徴とする請求項１または請求項２に記載のトイレットペーパーホルダー補助具。
(57)【要約】      （修正有）【課題】安価に且つ簡易に外部の音響の装置につなぎ大きな音量で音を出すことが可能な弦楽器を提供する。【解決手段】スマートフォン４の短辺方向の長さと略同一幅の挿入口が、当該弦楽器の胴体部分の側面に設けられた弦楽器である。当該弦楽器の内部にステレオミニケーブル６を備え、ステレオミニケーブル６の一方のプラグは、スマートフォン４が挿入された時に、スマートフォン４のヘッドフォン端子に繋がる位置に設けられ、ステレオミニケーブル６の他方のジャック７は、当該弦楽器表面に設けられる。そこにラインケーブル８をつなぎ外部の音響装置に出力できるようにすることで、アンプなどで大きな音量で出力することができる。【選択図】図２
0003216011.tif 000002
【実用新案登録請求の範囲】
【請求項１】
スマートフォンが取り付けることができるようにした楽器。
【請求項２】
楽器と前記楽器の挿入口に挿入されたスマートフォンを備えたスマホ楽器。
【請求項３】
スマートフォンのヘッドフォン端子にステレオミニケーブルの一方のプラグをつなぎ、そのステレオミニプラグケーブルのもう片方のジャックが楽器本体の表面に設けられた請求項２に記載のスマホ楽器。
【考案の詳細な説明】
【技術分野】
【０００１】  本考案は、楽器及びスマホ楽器に関するものである。
【背景技術】
【０００２】  従来、楽器の音を、広い場所で聴かせる場合、アンプなどの音響の装置につなげるために、楽器の音を集音するためのピックアップを楽器に内蔵するか、あとからピックアップを取り付ける必要があった。
【考案の概要】
【考案が解決しようとする課題】
【０００３】  ピックアップが内蔵されている楽器もあとから取り付けられるピックアップもいずれも値段が高価であった。【０００４】  本考案は、上記の点に鑑みてなされたものであって、安価に且つ簡易に外部の音響の装置につなぎ大きな音量で音を出すことが可能な楽器及びスマホ楽器を提供することを目的とする。
【課題を解決するための手段】
【０００５】  楽器の本体に、スマートフォンが収容できる挿入口を設け、そのスマートフォンが取り付けることができるようにした構造。挿入されたスマートフォンのヘッドフォン端子にステレオミニケーブルの一方のプラグをつなぎ、そのステレオミニケーブルのもう片方のジャックが楽器本体の表面に出るように設けることで、そこにラインケーブルをつなぎ外部の音響装置に出力できるようにしている。
【考案の効果】
【０００６】  本考案によれば、安価に且つ簡易に外部の音響の装置につなぐことが可能な楽器及びスマホ楽器を提供することができる。
【図面の簡単な説明】
【０００７】
【図１】本考案のスマートフォンを取り付けるための挿入口が設けられた楽器にスマートフォンが挿入されたスマホ楽器の例を表す正面図である。
【図２】本考案のスマートフォンを取り付けるための挿入口が設けられた楽器にスマートフォンが挿入されたスマホ楽器の例を表す背面図である。
【図３】本考案のスマートフォンを取り付けるための挿入口が設けられた楽器にスマートフォンが挿入されたスマホ楽器の例を表す左側面図である。
【図４】本考案のスマートフォンを取り付けるための挿入口が設けられた楽器にスマートフォンが挿入されたスマホ楽器の例を表す右側面図である。
【図５】本考案のスマートフォンを取り付けるための挿入口が設けられた楽器にスマートフォンが挿入されていない状態のスマホ楽器の例を表す左側面図である。
【図６】本考案のスマートフォンを取り付けるための挿入口が設けられた楽器にラインケーブルが刺されていない状態のスマホ楽器の例を表す右側面図である。
【考案を実施するための形態】
【０００８】  本発明の楽器として、本体（胴）が缶でできた三線を例として説明する。図１から図６に示すように本発明のスマホ三線は三線本体１と棹２を備えている。三線本体１は金属製の円形状であって、その側面にスマートフォン４を挿入する挿入口３が設けられている。挿入口３にはスマートフォン４が挿入され取り付けることができる。スマートフォン４は、スマートフォンを固定する支え５で固定される。スマートフォンの挿入口３にスマートフォン４が備え付けられた楽器をスマホ楽器という。挿入されたスマートフォン４のヘッドフォン端子にステレオミニケーブル６の一方のプラグをつなぎ、そのステレオミニケーブル６のもう片方のジャック７が楽器本体の表面に出るように設けることで、そこにラインケーブル８をつなぎ外部の音響装置につなぎ出力できるようにしている。図１から図６では、三線本体１が缶でできた三線を例示している。ただし、三線以外の他の弦楽器、例えばギター、ベース等であってもよい。
【符号の説明】
【０００９】  １  三線本体
２  棹
３  スマートフェオンの挿入口
４  スマートフォン
５  スマートフォンを固定する支え
６  ステレオミニケーブル
７  ステレオミニケーブルのジャック
８  ラインケーブル
【図１】
0003216011.tif 000003
【図２】
0003216011.tif 000004
【図３】
0003216011.tif 000005
【図４】
0003216011.tif 000006
【図５】
0003216011.tif 000007
【図６】
0003216011.tif 000008
【手続補正書】
【提出日】平成30年2月14日(2018.2.14)
【手続補正１】
【補正対象書類名】実用新案登録請求の範囲
【補正対象項目名】全文
【補正方法】変更
【補正の内容】
【実用新案登録請求の範囲】
【請求項１】
スマートフォンの短辺方向の長さと略同一幅の挿入口が、当該弦楽器の胴体部分の側面に設けられた弦楽器。
【請求項２】
当該弦楽器の内部にステレオミニケーブルを備え、前記ステレオミニケーブルの一方のプラグは、前記スマートフォンが挿入された時に、前記スマートフォンのヘッドフォン端子に繋がる位置に設けられ、前記ステレオミニケーブルの他方のジャックは、当該弦楽器表面に設けられた請求項１に記載の弦楽器。
(57)【要約】【課題】紐を結んだり結び直したりすることなく、使用者の体型や使用目的に応じて甚だ容易にその紐状態を最適になるように微調整できるような、リハビリ等広範に使えるヒモトレ用具を提供する。【解決手段】人体の要部を輪状に囲むに足る紐体１において、その少なくとも一部を２本平行に重ねた箇所に短筒体２を被せて滑動可能状に準固定し、かつその短筒体２が逸脱しないような堰止体３を該紐体１の端部に設ける。【選択図】図２
0003216041.tif 000002
【実用新案登録請求の範囲】
【請求項１】
人体の要部を輪状に囲むに足る紐体において、その少なくとも一部を２本平行に重ねた箇所に短筒体を被せて滑動可能状に準固定し、かつ該短筒体が逸脱しないような堰止体を該紐体の端部に設けたことを特徴とするヒモトレ用具。
【考案の詳細な説明】
【考案の詳細な説明】
【技術分野】
【０００１】この考案は、通称ヒモトレ、すなわち紐を用いて自己トレーニング、リハビリ、エクササイズ等を行う際に用いる紐を用いた用具に関する。
【背景技術】
【０００２】近時、２０１６年１１月２６日の日本経済新聞記事にもあるように「ヒモトレ」という運動法が一般化しつつある。これは紐を体に巻き、軽く体をうごかすだけで、体のバランスが整い、凝りや痛み、だるさが解消できるというもので、スポーツ界から医療や介護の場、リハビリ等で幅広く活用されはじめている。【０００３】そこで用いられる紐は、通常直径４〜８ｍｍ位の少し伸縮性のある長さ１．５ｍ位の丸紐で、これを目的に応じ、両手首間や腹回り、腰回り等に巻いて両端を結び輪状に固定し、その状態で両腕を上方に上げたり、上体を回す、左右に倒すなどの基本操作で体の運動を促すものである。【０００４】すなわち紐のない状態では両腕を揃えて上げたり体を倒し或いは曲げたりしにくいため、リハビリやトレーニングにならなかったのが、紐で結んで行うことによりそれが容易となり、障害の回復や肩凝り、腰痛などが取れて、体が軽くなったという報告が数多くなされている。
【考案の開示】
【考案が解決しようとする課題】
【０００５】上記のような「ヒモトレ」はそれなりに効果のあるものとして実行する人も多くなりつつあるが、紐を輪状にするために両端を結ぶ必要があり、その都度、寸法を調整して結び直すことも多く、特に未だ動きの不自由なリハビリ中の人にとってはそれが甚だ困難なために実行できないことも多かった。【０００６】本考案はかかる問題点を解決して、その都度紐を結んだり結び直したりすることなく、使用者の体型や使用目的に応じて甚だ容易にその紐状態を最適になるように微調整できるようなヒモトレ用具を提供することを課題とする。
【課題を解決するための手段】
【０００７】人体の要部を輪状に囲むに足る紐体１において、その少なくとも一部を２本平行に重ねた箇所に短筒体２を被せて滑動可能状に準固定し、かつその短筒体２が逸脱しないような堰止体３を該紐体１の端部に設けて、本考案のヒモトレ用具とする。【０００８】この紐体１は、巾着袋などに使われている直径４〜８ｍｍ、長さ１．５ｍ位の丸紐が好ましく、現状ではその両端、或いは適宜箇所を結び輪状にして、ヒモトレのために使っているものである。【０００９】これを図１のように輪状に囲んで端部の平行に重ねた箇所を被せるように短筒体２を通すのであるが、この短筒体２の内径は２本重ねた紐体１の外径と同等以下であっても、紐体１は一般に布質であるなど堅固な材質のものではないので、容易に滑動可能かつ非移動状に取り付ける（準固定）ことができる。【００１０】但し取り付けた短筒体２が紐体１から逸脱しないように、紐体１の端部を堰止体３で束ねるなり結び目を設けるなりして、その外径を堅固ないし大きくしておく必要がある。【００１１】なお別の製品形態として、分断された２本の紐体１を平行に重ねてこれに該短筒体２を１個又は２個以上通しておき、その紐体１の両端を堰止体３で束ねても良い。これで図２に示すように（図１の場合も可能であるが）、短筒体２の位置を適宜ずらすことにより、輪のつくるスペースＳ１，Ｓ２の大きさをを任意に変えることができる。【００１２】上例のように分断された２本の紐体１を用いる場合も、両者の端を堰止体３で束ね繋げば、１本の大きな輪を形成し得る紐体１と同等になる。【００１３】なお、本考案の特有な使い方として、先ず短筒体２を紐体１の両横に移動させて中央部に大きな輪を形成し、そこに両腕を突っ込んで前にある２本重なった紐体１を頭上に回して首後両肩に掛け（図３）、その状態で両横の短筒体２をできるだけ端から離すように移動させて腋の下で止まるまで締め付ける（図４）と、あたかも襷掛けしたときのように姿勢が正され（図５）、リハビリ中においても甚だ好適なサポーターとなり、肩凝り解消や腹筋強化にもなることが判明した。
【考案の効果】
【００１４】本考案によれば、様々な疾患障害等の解消に役立つとされるヒモトレにおいて、甚だ面倒な、とりわけリハビリ中の使用者には不可能ともいえる紐結び操作が不要となり、しかもそれに適した輪の大きさを状況に応じ任意に調整でき、従ってリハビリ時でも容易に襷掛けのような状態にしてサポーターのように使うことができるから、姿勢矯正や腹筋強化にもなるという効果かある。
【考案を実施するための形態】
【００１５】若干毛羽立ち状の布地を丸めて作られた外径約８ｍｍ、長さ約８００ｍｍの紐体１を２本、平行に重ねてこれを内径約７ｍｍ、長さ約１８ｍｍの２個のプラスチック製短筒体２内に押し込むようにして通し、２本の紐体の両端を約１０ｍｍ巾の金属製の堰止体３で丸く束ねて固定し、その箇所の外径を約８ｍｍとする。
【００１６】上例のヒモトレ用具を実際に使う場合、例えば両手首に掛けるには端から約３０ｃｍの位置に短筒体２を滑らせ両手を入れて輪を作ると、もはや力を入れて広げようとしても、短筒体２近くの紐が非平行となるため摩擦が急拡大して全く滑らなくなる。従ってそのまま両手を頭上に上げたり上体を倒し回すなどの操作が難無くできることが確認された。
【００１７】また同時に出来る反対側のより大きな輪を胴体回りに用いたり、或いは前記のように中央部に大きな輪をつくり襷掛けのようにする使い方も、リハビリ中の人でも楽にできることが確認され、結ぶ場合と違って甚だ使い勝手の良い広範なエクササイズないしリハビリ用具になり得ることも判明した。
【産業上の利用可能性】
【００１８】本考案のヒモトレ用具はニーズも多く、製作も現実的で容易であるから、産業上の利用可能性は十分にあるといえる。
【図面の簡単な説明】
【００１９】
【図１】本考案一例の見取図
【図２】本考案別例の見取図
【図３】本考案を使用する途上の一形態を示す説明図
【図４】本考案使用中の一形態を示す説明図
【図５】本考案使用中の一形態を示す説明図
【符号の説明】
【００２０】  １……紐体            ２……短筒体
３……堰止体          Ｓ１，Ｓ２……輪のつくるスペース
【図１】
0003216041.tif 000003
【図２】
0003216041.tif 000004
【図３】
0003216041.tif 000005
【図４】
0003216041.tif 000006
【図５】
0003216041.tif 000007
(57)【要約】      （修正有）【課題】上衣に取り付けられて使用されるライナーであって、着用時に違和感なく、外観が良好なライナーを提供する。【解決手段】上衣に着脱自在に取り付けられて使用されるライナーであって、プリーツ幅が１０ｍｍ以上かつ７０ｍｍ以下であるボックスプリーツ２を背中心に備える。【選択図】図１
0003216026.tif 000002
【実用新案登録請求の範囲】
【請求項１】
ボックスプリーツを備えることを特徴とするライナー。
【請求項２】
前記ボックスプリーツが背中心に沿っている、請求項１に記載のライナー。
【請求項３】
前記ボックスプリーツのプリーツ幅が１０ｍｍ以上かつ７０ｍｍ以下である、請求項１または請求項２に記載のライナー。
【請求項４】
着脱自在である、請求項１〜３のいずれかに記載のライナー。
【請求項５】
織編物からなる表地とスパンボンド不織布からなる裏地とからなる２層構造生地を袋状にして内部にポリエステル短繊維からなる中綿を詰め込んでなる、請求項１〜４のいずれかに記載のライナー。
【請求項６】
キルティングを施してなる、請求項１〜５のいずれかに記載のライナー。
【考案の詳細な説明】
【技術分野】
【０００１】
本考案は、上衣に取り付けられるライナーであって、着用時に違和感なく、上衣の外観が良好に保たれるライナーに関する。
【背景技術】
【０００２】
従来、コートなど上衣の裏に取り付ける部材である、着脱可能なライナーは種々提案されている（例えば、特許文献１、２）。
しかしながら、従来のライナーは、その生地のストレッチ性が低い場合、着用時にライナーが上衣に追従せず、その結果違和感が発生し、上衣に皺が発生して外観が損なわれるなどの問題があった。
【先行技術文献】
【特許文献】
【０００３】
【特許文献１】実開昭５６−１１５４１０号公報
【特許文献２】実開平４−６４５０９号公報
【考案の概要】
【考案が解決しようとする課題】
【０００４】
本考案は、上記の背景に鑑みなされたものであり、上衣に取り付けられるライナーであって、生地のストレッチ性が低くても、着用時に違和感なく、上衣の外観が良好に保たれるライナーを提供することにある。
【課題を解決するための手段】
【０００５】
本考案者は、ライナーにボックスプリーツを備えることで、生地のストレッチ性が低くても、上衣への追従性が十分であるライナーが得られることを見出し、さらに鋭意検討を重ねることにより本考案に到達した。
【０００６】
かくして、本考案によれば、「ボックスプリーツを備えることを特徴とするライナー。」が提供される。
その際、前記ボックスプリーツが背中心に沿っていることが好ましい。また、前記ボックスプリーツの幅が１０ｍｍ以上かつ７０ｍｍ以下であることが好ましい。また、着脱自在であることが好ましい。また、織編物からなる表地とスパンボンド不織布からなる裏地とからなる２層構造生地を袋状にして内部にポリエステル短繊維からなる中綿を詰め込んでいることが好ましい。また、キルティングを施していることが好ましい。
【考案の効果】
【０００７】
本考案は、上衣に取り付けられて使用されるライナーであって、着用時に違和感なく、外観が良好なライナーが得られる。
【図面の簡単な説明】
【０００８】
【図１】本考案のライナーの一例を示す図である。
【考案を実施するための形態】
【０００９】
以下、本考案のライナーについて詳細に説明する。なお、本考案は下記実施態様に限定されるものではない。
【００１０】
本考案のライナーはボックスプリーツを有することで、体を屈折した際にプリーツが広がり、上衣へのライナーへ追従する。
【００１１】
ここで、ボックスプリーツを入れる位置や方向は特に限定されないが、縦方向であることが好ましい。特に背中心に沿うことが好ましい。
【００１２】
ボックスプリーツの幅は特に限定されないが、所期の作用を示し、かつライナーの形状が崩れないように、１０ｍｍ以上かつ７０ｍｍ以下の範囲であることが好ましい。背中に当たる面のボックスプリーツの末端は、襟ぐりおよび／または裾から一定の範囲（好ましくは７０ｍｍ以下の範囲）でそれぞれ襟ぐり始末および／または裾始末を行ってもよい。
【００１３】
ライナーの布帛構造としては、特に限定されない。例えば、織編物など１枚物の布帛でもよい。また、織編物からなる表地とスパンボンド不織布などからなる裏地とからなる２層構造生地を袋状にして内部にポリエステル短繊維からなる中綿を詰め込んでもよい。さらには、キルティング地としてもよい。
【００１４】
ライナーは上衣に縫着されていてもよいが、ファスナーやボタンなどを用いて着脱自在とすることが好ましい。また、務歯をライナー端部に取り付け、務歯隠しなどを設置してもよい。
【実施例】
【００１５】
以下、実施例をあげて本考案をさらに具体的に説明する。
【００１６】
［実施例１］
織編物からなる表地とスパンボンド不織布からなる裏地とからなる２層構造生地を袋状にして内部にポリエステル短繊維からなる中綿を詰め込み、さらにキルティングを施した生地を図１のように裁断し、縫製した。
背中心に沿って、５０ｍｍの幅のボックスプリーツを入れ、襟ぐりおよび裾からそれぞれ５０ｍｍずつを始末した。上衣との着脱用に、務歯をライナー端部に付け、務歯隠しを設置した。
着用時に違和感なく、上衣の外観が良好に保たれるライナーであった。
【産業上の利用可能性】
【００１７】
本考案によれば、着用時に違和感なく、上衣の外観が良好に保たれるライナーが得られ、その工業的価値は極めて大である。
【符号の説明】
【００１８】
１：ライナー
２：ボックスプリーツ
【図１】
0003216026.tif 000003
【手続補正書】
【提出日】平成30年2月27日(2018.2.27)
【手続補正１】
【補正対象書類名】実用新案登録請求の範囲
【補正対象項目名】全文
【補正方法】変更
【補正の内容】
【実用新案登録請求の範囲】
【請求項１】
プリーツ幅が１０ｍｍ以上かつ７０ｍｍ以下であるボックスプリーツを背中心に備えることを特徴とするライナー。
【請求項２】
ファスナーまたはボタンによりライナーが上衣から着脱自在である、請求項１に記載のライナー。
【請求項３】
織編物からなる表地とスパンボンド不織布からなる裏地とからなる２層構造生地を袋状にして内部にポリエステル短繊維からなる中綿を詰め込んでなる、請求項１または請求項２に記載のライナー。
【請求項４】
キルティングを施してなる、請求項１〜３のいずれかに記載のライナー。
【手続補正２】
【補正対象書類名】明細書
【補正対象項目名】０００６
【補正方法】変更
【補正の内容】
【０００６】
かくして、本考案によれば、「プリーツ幅が１０ｍｍ以上かつ７０ｍｍ以下であるボックスプリーツを背中心に備えることを特徴とするライナー。」が提供される。
その際、ファスナーまたはボタンによりライナーが上衣から着脱自在であることが好ましい。また、織編物からなる表地とスパンボンド不織布からなる裏地とからなる２層構造生地を袋状にして内部にポリエステル短繊維からなる中綿を詰め込んでいることが好ましい。また、キルティングを施していることが好ましい。
(57)【要約】      （修正有）【課題】空気流通がもぐさの燃焼を早め体感温度の上昇時間を大幅に短縮することができ、施灸の効果を着火後、格段に早く引き出すことが可能になる台座式お灸を提供する。【解決手段】もぐさ部分の中央部分に円錐状の空洞を設けた。【選択図】図４
0003216022.tif 000002
【実用新案登録請求の範囲】
【請求項１】
台座灸の灸部分に縦に空洞を設けたことを特徴とする台座式お灸。
【考案の詳細な説明】
【考案の詳細な説明】
【考案が解決しようとする課題】
【００１】    従来の台座灸の場合、もぐさ部分に空洞がなく空気流通が阻害されるために施灸の温度上昇まで非常に時間がかかり効果が出る迄に時間がかかるという問題点を有していた。
【課題を解決するための手段】
【００２】    上記の問題を解決するために、もぐさ部分の中央部分に円錐状の空洞を設けた。
【考案の効果】
【００３】    円錐状の空洞を設けたことにより、空気流通がもぐさの燃焼を早め体感温度の上昇時間を大幅に短縮することができ、施灸の効果を従来より着火後、格段に早く引き出すことが可能になる。
【図面の簡単な説明】
【図１】  台座灸の斜視図である。
【図２】  台座灸のもぐさ部分の平面図である。
【図３】  台座灸のもぐさ部分の上部図である。
【図４】  台座灸のもぐさ部分の断面図である。
【符号の説明】      １  円錐状の空洞
【図１】
0003216022.tif 000003
【図２】
0003216022.tif 000004
【図３】
0003216022.tif 000005
【図４】
0003216022.tif 000006
(57)【要約】      （修正有）【課題】容易に組み立てや片付けができ、また、子どもが本キットにぶつかっても怪我の可能性が低い屋台キットを提供する。【解決手段】複数種の紙管１ａ〜１ｄを複数種のジョイント２ａ〜２ｄを使用して結合して本体を構成する。本考案は、キット本体の枠を紙管とプラスチック製のジョイントを使用することで容易な組み立てと収納を可能にする。また、主な使用場面から子どもに対する安全性も上昇することができる。【選択図】図１
0003216028.tif 000002
【実用新案登録請求の範囲】
【請求項１】
複数種の紙管を複数種のジョイントを使用して結合して本体を構成する屋台キット。
【考案の詳細な説明】
【技術分野】
【０００１】
本考案は、紙管を使用して作成した屋台キットに関するものである。
【背景技術】
【０００２】
集客イベントを行う際に使用していた屋台キットは木製であった。
【先行技術文献】
【特許文献】
【０００３】
【特許文献１】特開平９−２１５５２６
【考案の概要】
【考案が解決しようとする課題】
【０００４】
従来の屋台キットでは主に木材を使用している為、屋台を組み立てる時にドライバーなどの工具を必要としていた。また、キットを片付ける際にも工具を使用するため、容易に片付けることができなかった。
【０００５】
従来のキットは主に子ども向けの集客イベント等で使用されることが多
く、木製の本体にぶつかって怪我をする恐れがあった。
【課題を解決するための手段】
【０００６】
上記課題を解決するために、本考案の屋台キットは、複数種の紙管を複数種のジョイントを使用して結合して本体枠を構成する。
【考案の効果】
【０００７】
本考案では本体枠の主要部分に紙管を使用しており、各部品をジョイントで連結しているだけなので、容易に組み立てや片付けができる。また、子どもが本キットにぶつかっても怪我の可能性が低い。
【図面の簡単な説明】
【０００８】
【図１】本考案の屋台キットの本体枠の組み上がりの実施例を示す斜視図である。
【図２】本考案の屋台キットの本体枠に一部装飾を施した使用例を示す斜視図である。
【考案を実施するための形態】
【０００９】
本考案の屋台キットは長テーブルや台の上で使用する。紙管をプラスチック製のジョイントを使用して連結させ、本体枠を作成する。本体枠の上部にすだれをかけ、下部には白竹籠を置く。正面上部に色紙を使用して作成したのれんと提灯を6つかける。白竹籠の中にはお菓子やおもちゃを入れ、主に子ども向けの集客イベント等で使用する。使用後はジョイントを外し、各部材をまとめ収納する。
【実施例】
【００１０】
以下、図面に従って実施例を説明する。図１は本考案の屋台キットの組み上がりの実施例を示す図である。図１において、１ａ、１ｂ、１ｃ及び１ｄは組み上げた際に構造体の骨組みとなる紙管であり、２ａ、２ｂ、２ｃ及び２ｄは紙管を結合するためのプラスチック製ジョイントである。紙管には４種の長さの異なる紙管１ａ、１ｂ、１ｃ及び１ｄがある。またジョイントにも４種の形状の異なるジョイント２ａ、２ｂ、２ｃ及び２ｄがある。これらの各紙管及び各ジョイントを使用して図１のような形に本体枠３を組み上げる。なお、図２のように、本体３上部にすだれ４やのれん５を設置して使用してもよい。
【符号の説明】
【００１１】
１ａ、１ｂ、１ｃ、１ｄ  紙管
２ａ、２ｂ、２ｃ、２ｄ  ジョイント
３  本体枠
４  すだれ
５  のれん
【図１】
0003216028.tif 000003
【図２】
0003216028.tif 000004
(57)【要約】      （修正有）【課題】安全に草刈を行なう事ができるアサリ付きノコギリ回転刃装置を提供する。【解決手段】草刈機のアサリ付きノコギリ回転刃装置において、回転運動するアサリ付きノコギリ回転刃部材２のアサリ先端部Ａを上部固定刃部材３に接触させるように構成して、草，芝等を切断する事により、安全に草、芝等を刈り込む作業ができるようにした。【選択図】図１
0003216371.tif 000002
【実用新案登録請求の範囲】
【請求項１】
草刈機のアサリ付きノコギリ回転刃装置において、回転運動するアサリ付きノコギリ回転刃部材２のアサリ先端部Ａを上部固定刃部材３に接触させるように構成して、草、芝等を切断する事を特徴とするアサリ付きノコギリ回転刃装置
【考案の詳細な説明】
【技術分野】
【０００１】  本考案は、草の刈り込み、芝刈り等に使用される、アサリ付きノコギリ回転刃装置に関するものである。
【背景技術】
【０００２】  従来の草刈機はチップソ−を使用したものがある。
【考案の概要】
【考案が解決しようとする課題】
【０００３】  作業中のチップソ−刃は大変危険を伴います。従って、アサリ付きノコギリ回転刃を露出せずに、安全に草刈り、芝の刈り込み等を行える構造にする事により、従来の危険を伴った作業の欠点を解決しようとするものである。
【課題を解決するための手段】
【０００４】  本考案は、草刈機のアサリ付きノコギリ回転刃装置において、回転運動するアサリ付きノコギリ回転刃部材２のアサリ先端部Ａを上部固定刃部材３に接触させるように構成して、草刈、芝刈等を行なう事により問題点を解決している。
【考案の効果】
【０００５】  上述の様に、本考案のアサリ付きノコギリ回転刃装置は、回転運動するアサリ付きノコギリ回転刃部材２のアサリ先端部Ａを上部固定刃部材３に接触させるように構成している。結果、上部固定刃部材３はアサリ付きノコギリ回転刃部材２の露出を防止する効果がある。即ち、安全に草刈り、芝の刈り込み作業ができる効果がある。
【図面の簡単な説明】
【０００６】
【図１】  本考案を実施したアサリ付きノコギリ回転刃装置の外観図
【図２】  アサリ付きノコギリ回転刃装置の側面図
【図３】  アサリ付きノコギリ回転刃部材２と上部固定刃部材３の側面図
【考案を実施するための形態】
【０００７】  回転運動するアサリ付きノコギリ回転刃部材２のアサリ先端部Ａを上部固定刃部材３に接触させるように構成して、接触面での草刈り、芝を刈り込む構造となっている。
【実施例】
【０００８】  以下、添付図面に従って一実施例を説明する。Ｍはアサリ付きノコギリ回転刃装置の外観で、操作桿取付部材１に草刈機動力部（図示せず）を接続する。上部固定刃部材３は操作桿取付部材１に固定する。アサリ付きノコギリ回転刃部材２は草刈機動力部（図示せず）から動力を得て回転するように構成されている。【０００９】  本考案の一実施例は上述の如き構成からなるものであるから、回転運動するアサリ付きノコギリ回転刃部材２のアサリ先端部Ａは上部固定刃部材３に接触させるように構成して、草、芝の切断を可能にしている。故に、確実に草、芝を刈り込む事ができる。しかも、固定刃部材３はアサリ付きノコギリ回転刃部材２を保護した状態となり、安全に草、芝等を刈り込む作業が可能になる。
尚、ノコギリ回転刃部材２のアサリ先端部Ａは、必ずしも上部固定刃部材３に接触しなくとも良い。
又、ノコギリ回転刃はアサリの無い回転刃でも良い。
【符号の説明】
【００１０】      １    操作桿取付部材
２    アサリ付きノコギリ回転刃部材
３    上部固定刃部材
Ａ    アサリ先端部
【図１】
0003216371.tif 000003
【図２】
0003216371.tif 000004
【図３】
0003216371.tif 000005
(57)【要約】      （修正有）【課題】洗面所の保管場所に置くだけで、水分を流れ落として乾燥させることができる歯磨き用コップを提供する。【解決手段】歯磨き用コップに楕円形の水切り穴１を開け、水分が水切り穴１から排出するために、コップ内の底部を水平線に対して一定の傾斜角度ａと水切り穴１を連結させることによりコップ内の水分を流れ落として乾燥させる。貯水は水切り穴１に親指を密着させ、コップを掴むことで貯水できる。窪み２をつけることにより、親指が密着し易く水切り穴１から水の漏れを防ぐ。【選択図】図２
0003216349.tif 000002
【実用新案登録請求の範囲】
【請求項１】
歯磨き用コップに楕円形の水切り穴を開け、コップ内底部の傾斜角度と連結することにより、水分を水切り穴から流れ落として自然乾燥させる歯磨き用コップである。
【請求項２】
歯磨き用コップに開けた水切り穴の外回りに、楕円形の窪みをつけることにより、親指が密着し易く、水切り穴から水漏れを防ぎ貯水できる歯磨き用コップである。
【考案の詳細な説明】
【技術分野】
【０００１】本考案は面倒なく水分を流れ落として、乾燥させ雑菌を防ぐ歯磨き用コップに関するものである。
【背景技術】
【０００２】従来からの歯磨き用コップは形状が複雑で洗浄作業が面倒であった。下記特許文献
【先行技術文献】
【特許文献】
【０００３】
【特許文献１】特開公２０１３−２１５５４２号  公報
【考案の概要】
【考案が解決しようとする課題】
【０００４】本考案は洗面所の歯磨き用コップを保管するときに、面倒なく水分を流れ落として不衛生になるのを防ぐものとした。
【課題を解決するための手段】
【０００５】本考案は上記の課題を解決するために、歯磨き用コップに水を切る穴を開け、コップの底を傾斜にすることで、水を切る穴から水が流れ落ちるものとした。
【考案の効果】
【０００６】歯磨き用コップを洗面所で保管するときに、面倒なく水分を流れ落として乾燥させ、不衛生になるのを防ぐことができる。
【考案を実施するための形態】
【０００７】以下本考案の形態を示す図面に基づき説明する。
【０００８】図１に示す如く、楕円形の水切り穴１、楕円形の窪み２をコップにつける。正面図
【０００９】図２に示す如く、コップ内の底部を水平線に対して一定の傾斜ａにすることによって、水切り穴１より水が流れ落ちて乾燥させる。断面側面図
【００１０】図３に示す如く、本考案歯磨き用コップは水切り穴に親指を密着させ、コップを掴み貯水する。
【図面の簡単な説明】
【００１１】
【図１】水切り穴１、窪み２を正面から見た正面図。
【図２】水切り穴１、窪み２を側面から見た断面側面図。
【図３】水切り穴１、窪み２を左手の親指で密着させ、歯磨き用コップを掴み貯水させる正面参考図。
【符号の説明】
【００１２】１  水切り穴
２  窪み
３  コップ内底部の傾斜
ａ  水平線に対して一定の傾斜角度
【図１】
0003216349.tif 000003
【図２】
0003216349.tif 000004
【図３】
0003216349.tif 000005
(57)【要約】      （修正有）【課題】刃先の破損を極力防止し、耐久性が増す草刈り機の回転刃を提供する。【解決手段】草刈機の回転刃を、刃先の１刃おきに、地面とは逆方向に１０度から１５度程度、折り曲げ、傾斜をつける。このことにより、小石などの障害物に接触した場合、反動で浮き上がることにより衝撃を和らげ、刃先の破損を最低限に抑えることが可能となる。加えて、地面に対して、曲げた刃先が角度をやわらげ、地面に刃先が食い込むことも回避できる。【選択図】図１
0003216343.tif 000002
【実用新案登録請求の範囲】
【請求項１】
草刈り機の回転刃の刃先を、１刃おきに約１０〜１５度の傾斜をつけることにより、小石など障害物に衝突する障害を緩和し、刃先の破損の頻度を少なくし、また、地面への食い込みも少なくなり、回転刃の寿命の延長と、作業効率の向上に資する。
【考案の詳細な説明】
【技術分野】
【０００１】  この発明は、電動の草刈り機の回転刃の構造に工夫をこらし、刃先の破損を極力防止するために考案された回転刃に関するものである。
【背景技術】
【０００２】  従来、電動の草刈り機の回転刃は、岩石や固い構造物に接触するとすぐに破損し、交換しなければならなかった。そこで、金属を柔軟にかつ精巧に加工する技術を活用して、回転刃の刃先に一定の角度をつけ、衝撃をやわらげる工夫を行い、新製品開発に成功した。
【考案の概要】
【考案が解決しようとする課題】
【０００３】  従来型の電動の草刈り機の回転刃は、草に隠れる石やコンクリートなど硬い構造物に接触するとすぐに刃先が折れたり曲がったりして、耐久性が低く、すぐに回転刃そのものを交換せざるを得なく、非常に非効率的で、かつ結果として、買換えに伴う経費のロスを生じてきた。回転刃の寿命は短いというのが当然として認識されてきた。
【課題を解決するための手段】
【０００４】  従来型の回転刃は、まったく平の円盤状の構造であり、不意の障害物に衝突しても、反射することなく衝突し、破損しやすい構造であった。このたび、金属を柔軟井折り曲げる技術を活用し、刃物の先端を、角度にして１０〜１５度程度、１刃おきに折り曲げることにより、障害物に当たって段階で反射、回避しやすい構造とするため、刃先の破損が起こりづらくなる。水平面と傾斜面の刃先が交互になる。
あわせて、回転部分に一定の厚みができることから地面にも侵入しづらく、よりきれいに草刈りが完了することができる。
【考案の効果】
【０００５】  刃先に角度をつけることにより、障害物との衝撃をやわらげ、結果として刃先の破損の頻度が少なくなり、耐久性が増す。
加工を加えることにより、製造の過程が増え、その分、販売価格が高くなることも想定されるが、それ以上に耐久性が増し、結果として、経済的にもコストダウンをなる。
【考案を実施するための形態】
【０００６】  既存にある電動草刈り機の回転刃の刃先を、１刃ずつ交互に、折り曲げ、傾斜をつけるように加工を加える。試行錯誤の実験を繰り返したうえで、刃先を１枚ずつ交互に、傾斜角度１０〜１５度が最適である。
【実施例】
【０００７】  現在、市販されている回転刃に、製造過程で、刃先を交互に折り曲げる１工程を加えることにより、大幅な価格の高騰を招くことなく商品化が可能となる。
また、既存の草刈り機の回転軸にそのまま使用することができ、回転刃以外は買い替える必要もなく、効果が認められれば急速に普及する。
【図面の簡単な説明】
【０００８】
【図１】回転刃部分の見取り図、立面図及び平面図である。
【図１】
0003216343.tif 000003
【手続補正書】
【提出日】平成30年2月26日(2018.2.26)
【手続補正１】
【補正対象書類名】実用新案登録請求の範囲
【補正対象項目名】全文
【補正方法】変更
【補正の内容】
【実用新案登録請求の範囲】
【請求項１】
回転刃の刃先を、１刃おきに約１０〜１５度の傾斜をつけることにより、小石など障害物に衝突する障害を緩和し、刃先の破損の頻度を少なくし、また、地面への食い込みも少なくすることにより、回転刃の寿命の延長と、作業効率の向上に資する草刈り機の回転刃。
(57)【要約】      （修正有）【課題】板厚を最小限に保ちながら、機械的強度の保持を可能にする木製家具用引手を提供する。【解決手段】木製箪笥の前板１の引手部分の前面に装飾用の板を嵌め合わせるための溝２と、前板１の引手部分の背面に指を入れるための溝３と、２つの溝の間に機械的強度を保持する補強部分４で構成される。これにより、板厚を最小限に抑えながら、装飾用の板等を嵌め合わせた時の機械的強度を保つことができる。【選択図】図２
0003216339.tif 000002
【実用新案登録請求の範囲】
【請求項１】
木製箪笥等の前板（１）の引手部分の前面に装飾用の板等を嵌め合わせるための溝（２）と、前板（１）の引手部分の背面に指を入れるための溝（３）と、２つの溝の間に機械的強度を保持する補強部分（４）で構成されたことを特徴とする木製家具用引手。
【請求項２】
装飾用の板等の後ろに背景色を変える紙またはフィルムを挿入できる溝を設けたことを特徴とする請求項１記載の木製家具用引手。
【考案の詳細な説明】
【技術分野】
【０００１】  本考案は、木製家具の家具用引手に関するものである。
【考案の概要】
【考案が解決しようとする課題】
【０００２】  室内に設置する家具はその性能とともに外観も重視され、木製箪笥等の前板の引手部分に装飾用の板等を嵌め合わせることで美的価値が向上させることができるが、機械的強度の問題で引き出しの前板の板厚が厚くなる欠点がある。従って、本考案は板厚を最小限に保ちながら、機械的強度の保持を可能にしようとするものである。
【課題を解決するための手段】
【０００３】  木製箪笥等の前板１に装飾用の板等を嵌め合わせるための溝２と、その背面の指を入れるための溝３の間に補強部分４を設けることで板厚を最小限に抑えながら、装飾用の板等を嵌め合わせた時の機械的強度を保つことができる。
【考案の効果】
【０００４】  上記の様に、本考案の引手は前板１の板厚を最小限に保ちながら、装飾用の板等を嵌め合わせた時の機械的強度の保持を可能にし、前板前面に装飾用の板等を嵌め合わせたデザインを実現することができ、美的価値の向上ができる。
【図面の簡単な説明】
【０００５】
【図１】正面図
【図２】図１で示しているＡ−Ａ断面線の断面図である。
【図３】背面図
【図４】底面図
【図５】組子細工を嵌め合わせた状態の正面図である。
【図６】図５で示しているＢ−Ｂ断面線の断面図である。組子細工を嵌め合わせた状態である。
【図７】組子細工を嵌め合わせ、その後ろに和紙も嵌め合わせた状態の正面図である。
【図８】図７で示しているＣ−Ｃ断面線の断面図である。組子細工を嵌め合わせ、その後ろに和紙も嵌め合わせた状態である。
【図９】組子細工を嵌め合わせた状態の使用状態を示す参考斜視図である。
【符号の説明】
【０００６】１  前板
２  装飾用の板等を嵌め合わせるための溝
３  指を入れるための溝
４  補強部分
５  組子細工
６  和紙
【実施例】
【０００７】  図面５と図面６は本考案を実施した引手を示すもので、木製箪笥の板厚２５ミリの前板１の引手部分の前面に組子を嵌め合わせるための溝２を深さ７ミリで設け、前板の引手部分の背面に指を入れるための溝３を深さ１６ミリで設け、２つの溝の間に補強部分４を厚さ２ミリで設ける。組子細工５を装飾用の板等を嵌め合わせるための溝２に嵌め合わせたものである。【０００８】  これにより、前板１の板厚を最小限に保ちながら、組子細工５を嵌め合わせた時の機械的強度の保持を可能にし、前板前面に組子細工５を嵌め合わせたデザインを実現することができ、美的価値の向上ができる。【０００９】  図面７と図面８は本考案を実施した引手を示すもので、木製箪笥の板厚２５ミリの前板１の引手部分の前面に組子を嵌め合わせるための溝２を深さ７ミリで設け、前板の引手部分の背面に指を入れるための溝３を深さ１６ミリで設け、２つの溝の間に補強部分４を厚さ２ミリで設けたものに、組子細工５とその背面に背景色を変えるための和紙６を嵌め合わせたものである。【００１０】  これにより、前板１の板厚を最小限に保ちながら、組子細工５と和紙６を嵌め合わせた時の機械的強度の保持を可能にし、前板前面に組子細工５と和紙６を嵌め合わせたデザインを実現することができ、美的価値の向上ができる。
【図１】
0003216339.tif 000003
【図２】
0003216339.tif 000004
【図３】
0003216339.tif 000005
【図４】
0003216339.tif 000006
【図５】
0003216339.tif 000007
【図６】
0003216339.tif 000008
【図７】
0003216339.tif 000009
【図８】
0003216339.tif 000010
【図９】
0003216339.tif 000011
【手続補正書】
【提出日】平成30年3月6日(2018.3.6)
【手続補正１】
【補正対象書類名】実用新案登録請求の範囲
【補正対象項目名】全文
【補正方法】変更
【補正の内容】
【実用新案登録請求の範囲】
【請求項１】
木製箪笥の前板（１）の引手部分の前面に装飾用の板を嵌め合わせるための溝（２）と、前板（１）の引手部分の背面に指を入れるための溝（３）と、２つの溝の間に機械的強度を保持する補強部分（４）で構成されたことを特徴とする木製家具用引手。
【請求項２】
装飾用の板の後ろに背景色を変える紙またはフィルムを挿入できる溝を設けたことを特徴とする請求項１記載の木製家具用引手。
(57)【要約】      （修正有）【課題】墓地・墓石を購入する費用のない者，墓地・墓石を管理する時間的余裕のない者及び高齢などの身体的理由により寺院の墓地・墓石を管理することが出来ない者が容易に自宅にて故人の供養をすることが可能になる自宅安置用墓石を提供する。【解決手段】石材を削り，研磨により加工し，横幅およそ１５〜２０センチメートル，奥行およそ１５〜２０センチメートル，高さがそれぞれ５センチメートル程度の四角柱を下段の土台３，同程度の大きさで一面が丸みを帯びた四角柱状の形状を中段の土台２として，言葉などを刻め，２面が台形状の四角柱を上段の石碑１として，３段を重ねる構造にし，重ねた際の中心部を，直径およそ１０センチメートル，高さおよそ２０センチメートルの円柱状に空洞化して骨壺を安置できる様にした。【選択図】図２
0003216337.tif 000002
【実用新案登録請求の範囲】
【請求項１】
石材を加工し，複数段に重ね，中央に骨壺を安置できる様に空洞化した，横およそ１５〜２０ｃｍ奥行およそ１５〜２０ｃｍ高さおよそ１４〜３０ｃｍの自宅安置用墓石。
【考案の詳細な説明】
【技術分野】
【０００１】  本考案は，自宅にて故人を供養できるように，縮小化した墓石を積み上げ，中央部分に骨壺を安置できるよう空洞化した，墓石に関するものである。
【背景技術】
【０００２】  祖先の墓地・墓石を引き継いでいない遺族にとって，故人の遺骨を管理し，供養していく場合，墓地・墓石を新たに購入するしかなかった。
【考案の概要】
【考案が解決しようとする課題】
【０００３】  墓地・墓石を購入するには経済的負担が大きく，自宅から遠方に購入した場合などには，その管理のための時間的，労働的負担も大きかった。従って，故人の遺骨を安置できる墓石を縮小化することで，自宅に墓石を設置することが可能になり，前述の欠点を解決しようとするものである。
【課題を解決するための手段】
【０００４】  本考案は，縮小化した墓石を作ることで，遺族が墓地・墓石を購入する必要がなくなり，さらに，その墓石の中央部を空洞化することで自宅内でも骨壺が入った墓石を管理することができることになり，問題点を解決している。
【考案の効果】
【０００５】  本考案により，経済的，時間的及び労働的負担をほぼ要しないで納骨できる墓石を購入できるようになったことから，墓地・墓石を購入する費用のない者，墓地・墓石を管理する時間的余裕のない者及び高齢などの身体的理由により寺院の墓地・墓石を管理することが出来ない者が容易に自宅にて故人の供養をすることが可能になる。
【図面の簡単な説明】
【０００６】
【図１】本考案の自宅安置用墓石の一実施例を示す外観図である。
【図２】本考案の部品詳細図である。
【図３】本考案の墓石土台部分と，それに骨壺を設置した場合の透明図である。
【図４】本考案の墓石全体を組み立て，骨壺を設置した場合の透明図である。
【考案を実施するための形態】
【０００７】  石材を用いて，縮小化した墓石を複数段に分けて作り上げ，中央部に骨壺を収納できるように，空洞部分を設けている。
【実施例】
【０００８】  空洞部分に骨壺を入れ，複数段の墓石を積み上げることで，自宅の仏壇や棚などの狭いスペースに安置することができる。
【符号の説明】
【０００９】１  最上段の墓石であり，故人の氏名，所有者の望む言葉，記号などを掘ることができる。
２  複数段ある墓石の中段の墓石であり，上段と下段の間に位置して，両方を繋ぐ役割をし，中央部分は空洞化しており，骨壺を入れることができる。
３  最下段の墓石であり，上段，中段の土台となる部分で，中央部分が空洞化しており，骨壺を入れることができる。
４  骨壺であり，墓石中央部の空洞に整合した形状をしており，そこに安置することができる。
【図１】
0003216337.tif 000003
【図２】
0003216337.tif 000004
【図３】
0003216337.tif 000005
【図４】
0003216337.tif 000006
【手続補正書】
【提出日】平成30年3月8日(2018.3.8)
【手続補正１】
【補正対象書類名】実用新案登録請求の範囲
【補正対象項目名】全文
【補正方法】変更
【補正の内容】
【実用新案登録請求の範囲】
【請求項１】
石材を削り，研磨により加工し，横幅およそ１５〜２０センチメートル，奥行およそ１５〜２０センチメートル，高さがそれぞれ５センチメートル程度の四角柱を下段の土台，同程度の大きさで一面が丸みを帯びた四角柱状の形状を中段の土台として，言葉などを刻め，２面が台形状の四角柱を上段の石碑として，３段を重ねる構造にし，重ねた際の中心部を，直径およそ１０センチメートル，高さおよそ２０センチメートルの円柱状に空洞化して骨壺を安置できる様にした自宅安置用墓石。